(57)【要約】【課題】  長時間楽しんでも手が疲れないようになり、パチンコ遊戯具自体に付加してある適宜キャラクター等に対応するような適宜表示、或いは適宜宣伝広告等の適宜表示を、表示部１に簡単に設けることができ、手首載せ台自体が興趣に富み、遊戯者が楽しめ、構成が簡素となり、量産に適し、安価となり、経済的で、無料提供等も可能となり、ひいては、遊戯者がより快適に且つ楽しく遊戯できる環境作りに役立つパチンコ遊戯用手載せ台を提供する。【解決手段】  パチンコ遊戯用手載せ台であって、少なくとも正面がわに比較的広い面積となる表示部１を設けてなる台基体Ａを形成し、パチンコ遊戯具自体に付加してあるキャラクター等に対応するような適宜表示、或いは、宣伝広告等の適宜表示を、前記表示部１に設ける。【選択図】図１
0003114082.tif 000002
【実用新案登録請求の範囲】
【請求項１】
パチンコ遊戯具のハンドルを掴んでいるときに、その手を載せられるようにしたパチンコ遊戯用手載せ台であって、少なくとも正面がわに比較的広い面積となる表示部を設けてなる台基体を形成し、パチンコ遊戯具自体に付加されているキャラクター等に対応するような適宜表示、或いは、宣伝広告等の適宜表示を、前記表示部に設けたことを特徴とするパチンコ遊戯用手載せ台。
【請求項２】
台基体を空気袋状に構成したことを特徴とする請求項１記載のパチンコ遊戯用手載せ台。
【請求項３】
台基体に空気出入口を設け、台基体内の空気量の調節が可能となるように形成して、手の支持高さの調節が可能となるように構成したことを特徴とする請求項２記載のパチンコ遊戯用手載せ台。
【請求項４】
台基体を上台と下台とで構成し、下台には係止爪を設け、上台には、前記係止爪に係脱自在に係止される複数の係止溝を設け、上台の上部には、切欠部を設けると共に、この切欠部に臨むように適宜クッションを付設したことを特徴とする請求項１記載のパチンコ遊戯用手載せ台。
【請求項５】
台基体の底面に吸盤を設けたことを特徴とする請求項１または請求項２または請求項３または請求項４記載のパチンコ遊戯用手載せ台。
【請求項６】
台基体の上面に、手や手首等を抱持可能となるような抱持用突起を設けたことを特徴とする請求項１または請求項２または請求項３または請求項４または請求項５記載のパチンコ遊戯用手載せ台。
【考案の詳細な説明】
【技術分野】
【０００１】
本考案は、主に、パチンコ遊戯具のハンドルを掴んでいるときに、その手や手首等を載せられるように形成して、長時間遊戯を楽しむ場合であっても手が疲れないようにしたパチンコ遊戯用手載せ台に係り、特に、パチンコ遊戯具自体に付加されている適宜キャラクター等に対応するような適宜表示、或いは適宜宣伝広告等の適宜表示を施せるようにして、遊戯者が楽しめるような興趣に富むものとし、更に、構成が簡素で、量産に適し、安価となり、経済的で、無料提供等も可能なものとし、ひいては、遊戯者がより快適に且つ楽しく遊戯できる環境作りに役立つようにしたパチンコ遊戯用手載せ台に関するものである。
【背景技術】
【０００２】
従来、この種のパチンコ遊戯用手載せ台にあっては種々のものが提供されており、例えば、特許文献１の遊戯用腕載せ台や、特許文献２の遊戯用手置台や、特許文献３のパチンコ用ひじ掛台等が開示されている。
そして、前記特許文献１の遊戯用腕載せ台にあっては、遊技機の下方に設けられたテーブル面に載置するための基台部と、該遊技機を操作して遊技を行う遊技者の腕を載せるための腕載せ部と、前記基台部に対する前記腕載せ部の高さ調整を行うための高さ調整部とを有し、前記高さ調整部が折りたたみ構造を有するとともに前記基台部と前記腕載せ部とに枢着され、かつ、前記基台部と前記腕載せ部とが前記高さ調整部を介して連結された状態で前記高さ調整が行われるように構成したものである。
また、特許文献２の遊戯用手置台にあっては、パチンコ等の遊戯台を使用するときに使って便利な遊戯用手置台であって、棚台や置台等の遊戯台の手前の台に載置される基板と、該基板に立設された柱体と、該柱体の頂部に設けられた天板とからなるものである。
更に、特許文献３のパチンコ用ひじ掛台にあっては、取付板の上部に載置すると共にその端部を蝶番で接続する可動板と、該可動板の蝶番側から適宜に離して立設させた固定支柱と、その固定支柱に沿って上下移動する可動支柱と、前記可動支柱の上部で回動可能なひじ掛板とから少なくとも構成されたものである。
【０００３】
【特許文献１】特開２００４−１８７８０１公報
【特許文献２】特開平８−２４４０９号公報
【特許文献３】実開平５−４１５８７号公報
【考案の開示】
【考案が解決しようとする課題】
【０００４】
しかしながら、前記特許文献１及び特許文献２及び特許文献３は、いずれも長時間パチンコ遊戯を楽しむ場合に手が疲れないように形成されたものであると共に、手を支える位置の調節（高さ調節）に工夫を凝らしたものであるが、その反面、構成が比較的複雑化し易く、コスト高となり、安価な提供が期待できない難点があった。
加えて、前述のものは実用的な機能面のみを追及したものであって、遊戯者が楽しめるような興趣に富む工夫が凝らされたものではない。すなわち、遊戯者がより楽しく遊戯できる環境作りに役立つものとはなっていない問題点もあった。
特に、パチンコ店に於いては、例えば、パチンコ遊戯具（パチンコ台）の入れ替えを頻繁に行う等して、遊戯者がより快適に且つ楽しく遊戯できる環境作り（サービス向上）を重要課題とし、これを達成できるようにすべく努めている。
そこで、本考案は、前述の如き難点や問題点等を解消できるようにし、パチンコ遊戯具自体に付加されている適宜キャラクター等に対応するような適宜表示、或いは適宜宣伝広告等の適宜表示を施せるようにして、遊戯者が楽しめるような興趣に富むものとし、更に、構成が簡素で、量産に適し、安価となり、経済的で、無料提供等も可能なものとし、ひいては、遊戯者がより快適に且つ楽しく遊戯できる環境作りに役立つようにしたパチンコ遊戯用手載せ台を提供すべく案出されたものである。
【課題を解決するための手段】
【０００５】
しかして、請求項１記載のパチンコ遊戯用手載せ台にあっては、パチンコ遊戯具のハンドルを掴んでいるときに、その手を載せられるようにしたパチンコ遊戯用手載せ台であって、少なくとも正面がわに比較的広い面積となる表示部１を設けてなる台基体Ａを形成し、パチンコ遊戯具自体に付加されているキャラクター等に対応するような適宜表示、或いは、宣伝広告等の適宜表示を、前記表示部１に設ける手段を採用した。
【０００６】
また、請求項２記載のパチンコ遊戯用手載せ台にあっては、台基体Ａを空気袋状に構成する手段を採用した。
【０００７】
更に、請求項３記載のパチンコ遊戯用手載せ台にあっては、台基体Ａに空気出入口３を設け、台基体Ａ内の空気量の調節が可能となるように形成して、手の支持高さの調節が可能となるように構成する手段を採用した。
【０００８】
そして、請求項４記載のパチンコ遊戯用手載せ台にあっては、台基体Ａを上台Ａ１と下台Ａ２とで構成し、下台Ａ２には係止爪６を設け、上台Ａ１には、前記係止爪６に係脱自在に係止される複数の係止溝７を設け、上台Ａ１の上部には、切欠部８を設けると共に、この切欠部８に臨むように適宜クッション９を付設する手段を採用した。
【０００９】
それから、請求項５記載のパチンコ遊戯用手載せ台にあっては、台基体Ａの底面に吸盤２を設ける手段を採用した。
【００１０】
加えて、請求項６記載のパチンコ遊戯用手載せ台にあっては、台基体Ａの上面に、手や手首等を抱持可能となるような抱持用突起４を設ける手段を採用した。
【考案の効果】
【００１１】
従って、請求項１記載のパチンコ遊戯用手載せ台によれば、パチンコ遊戯具のハンドルを掴んでいるときに、その手や手首を載せられ、長時間遊戯を楽しんでも手が疲れないようになる。
特に、パチンコ遊戯具自体に付加されている適宜キャラクター等に対応するような適宜表示、或いは適宜宣伝広告等の適宜表示を、表示部１に簡単に設けられ、手載せ台自体が興趣に富むものとなり、遊戯者が楽しめるようになる。ひいては、遊戯者がより快適に且つ楽しく遊戯できる環境作り（サービス向上）に役立つパチンコ遊戯用手載せ台となる。
【００１２】
また、請求項２記載のパチンコ遊戯用手載せ台によれば、手首載せ台自体の構成が簡素となり、量産に適し、極めて安価となり、経済的で、無料提供等も可能となり、ひいては、遊戯者がより快適に且つ楽しく遊戯できる環境作りに役立つものとなる。
しかも、手首載せ台自体が軽量となると共に、取扱い易くなり、手や手首等への接触も柔らかくなると共に、手や手首等に応じて変形させ易く、長時間の利用に最適となり、ひいては、手や手首部分の血流の阻害となるような虞のないものとなる。
【００１３】
更に、請求項３記載のパチンコ遊戯用手載せ台によれば、台基体Ａ内の空気量の調節が簡単に行えるようになり、手の支持高さの調節が誰でも簡単に行えるようになり、使い勝手の優れたものとなる。しかも、不使用時には空気出入口３によって台基体Ａ内の空気を排出でき、台基体Ａを小型コンパクトにでき、携帯性も良好となる。
【００１４】
そして、請求項４記載のパチンコ遊戯用手載せ台によれば、パチンコ遊戯具のハンドルを掴んでいるときに、その手や手首等を載せられ、長時間遊戯を楽しんでも手が疲れないようになる。
特に、パチンコ遊戯具自体に付加されている適宜キャラクター等に対応するような適宜表示、或いは適宜宣伝広告等の適宜表示を、表示部１に簡単に設けられ、手載せ台自体が興趣に富むものとなり、遊戯者が楽しめるようになる。ひいては、遊戯者がより快適に且つ楽しく遊戯できる環境作り（サービス向上）に役立つパチンコ遊戯用手載せ台となる。
また、係止爪６と複数の係止溝７とにより、台基体Ａの高さ調節が簡単に行え、手の支持高さの調節が誰でも簡単に行えるようになり、使い勝手の優れたものとなる。
しかも、切欠部８に臨むように付設した適宜クッション９により、手や手首等への接触も柔らかく、長時間の利用により適したものとなる。
【００１５】
それから、請求項５記載のパチンコ遊戯用手載せ台によれば、手載せ台を棚部等の所望位置に簡単に且つ確実に吸着させることができるようになり、その落下等も防止でき、取扱い易く、使い勝手の優れたものとなる。
【００１６】
加えて、請求項６記載のパチンコ遊戯用手載せ台によれば、手載せ台を抱持用突起４によって手や手首等に仮固定しておけるようになり、手首載せ台の落下等を防止できると共に、使い勝手の優れたものとなる。
【考案を実施するための最良の形態】
【００１７】
以下、本考案を図示例に基づいて説明すると、次の通りである。
本考案は、パチンコ店に於いて、玉収納箱等が載置される棚部等の上に置いて（或いは、手や手首に装着して）使用されるもので、パチンコ遊戯具（パチンコ台）のハンドル（電動ハンドル）を手指で掴んでいる（或いは、添えている）ときに、その上部に右手（或いは、左手でも良い）の手や手首等を載せて手を支持できるようにしたパチンコ遊戯用手載せ台に係るものである。
具体的には、少なくとも正面がわに比較的広い面積となる表示部１を設けてなる台基体Ａを形成し、パチンコ遊戯具自体に付加されているキャラクター等に対応するような適宜表示、或いは、宣伝広告等の適宜表示を、前記表示部１に設けたものである。
更に、台基体Ａを空気袋状に構成したり、台基体Ａに空気出入口３を設け、台基体Ａ内の空気量の調節が可能となるように形成して、手の支持高さの調節が可能となるように構成したり、台基体Ａの底面に吸盤２を設けたり、台基体Ａの上面に、手や手首を抱持可能となるような抱持用突起４を設けたりすることができるものである。
また、台基体Ａを上台Ａ１と下台Ａ２とで構成し、下台Ａ２には係止爪６を設け、上台Ａ１には、前記係止爪６に係脱自在に係止される複数の係止溝７を設け、上台Ａ１の上部には、切欠部８を設けると共に、この切欠部８に臨むように適宜クッション９を付設して構成することもできる。
【実施例】
【００１８】
そして、図１及び図２に示すような手載せ台は、例えば、正面がわが比較的広い矩形状の表示部１となるような全体略中空直方体状（空気袋状）の台基体Ａを、適宜合成樹脂材等（或いは、適宜紙材や、適宜金属材や、適宜複合材を利用しても良い）によって形成してある。
【００１９】
更に、前記表示部１には、パチンコ遊戯具自体に付加されている適宜キャラクター等に対応するような適宜表示（例えば、キャラクター自体や、キャラクターに関連する物や、タイトルや、その他）、或いは、宣伝広告等の適宜表示（例えば、パチンコメーカー名や、パチンコ店名や、スポンサーの商品名や、その他）が設けられている。尚、表示部１は、例えば、台基体Ａへの直接的な印刷や、印刷したシールを台基体Ａに貼ったり、台基体Ａ自体の凹凸加工等によって適宜構成されるものである。
【００２０】
また、台基体Ａの底面部分には、適宜吸盤２が適数固着されており、棚部等に着脱自在に固定できるように形成されている。ところで、吸盤２は、例えば、比較的大きなものを一つ設けるようにしても良いし、或いは、全体がコンパクトとなるように比較的小さなものを複数配設するようにしても良い。しかも、吸盤２は、台基体Ａへ固着してあっても良いし、着脱自在に装着できるようにしてあっても良い。
【００２１】
加えて、台基体Ａの適宜位置（例えば、上面部分以外）には、空気出入口３が設けられており、台基体Ａ内の空気量の調節が誰でも簡単に行えるように形成してあると共に、手の支持高さの調節が可能となるように形成してある。尚、台基体Ａ内の空気を全て抜くことにより、手載せ台自体がかなり小さくなって携帯し易くなるように構成されている。
尚、空気出入口３は、例えば、逆止弁等が内蔵されていて、空気を入れ易く形成されていると共に、その構成自体が簡素なものが採用される。
【００２２】
それから、図３に示す手載せ台は、台基体Ａの上面左右に、略横向きＣ字状を呈する一対の抱持用突起４を設け、この一対の抱持用突起４によって、手首を抱持できるように構成されたものである。すなわち、抱持用突起４によって手載せ台を手や手首等に仮固定しておけるようにし、手載せ台の落下等を防止できるよう構成したものである。尚、このとき、吸盤２は不要となり、その構成がより簡素となる。
ところで、抱持用突起４は、例えば、略つ字状に形成されたものを一つ突設したものであっても良い。
【００２３】
そして、図４及び図５に示すような手載せ台は、例えば、適宜合成樹脂材によって台基体Ａを形成し、しかも、この台基体Ａを、上方が開放された略矩形容器状に形成される下台Ａ２と、この下台Ａ２より僅かに大きく形成されると共に、下台Ａ２に対して上下方向に摺動自在となるよう外装可能な下方が開放された略矩形容器状に形成される上台Ａ１とで構成してある。
しかも、下台Ａ２の左右側壁部中央には弾性片５を夫々形成すると共に、この弾性片５の先端部分外方に係止爪６を突設し、一方、上台Ａ１の左右側壁部内面には、前記係止爪６に係脱自在に係止される複数の係止溝７を上下方向に並設してある。すなわち、係止爪６の複数の係止溝７への係止位置の変更により、台基体Ａの高さ調節が簡単に行え、手の支持高さの調節が誰でも簡単に行えるようになっている。
更に、上台Ａ１の上部（上壁部中央部分及び前後壁部の中央上部）には、手首部分より大きな切欠部８を設けると共に、この切欠部８に臨むように適宜クッション９を付設して構成されている。すなわち、適宜クッション９により、手への接触も柔らかく、長時間の利用に適したものとなるように形成されている。
尚、このクッション９は、例えば、発泡性樹脂材を基材とし、この基材の表面の一部に適宜カバー材を貼付けたものであっても良い。すなわち、軽量で、手への接触がより良好となるように形成することができる。
【００２４】
加えて、前記台基体Ａは、略中空直方体状のものだけでなく、その他の適宜形状のものを採用でき、特に、その形態自体が、パチンコ遊戯具に付加されている適宜キャラクター等に対応するような形状（例えば、人形的な形状等）に形成したものであっても良い。すなわち、より興趣に富むような形状に形成することができる。
しかも、安定性等が増すように、台基体Ａ内に水等を入れるようにしても良い。
また、台基体Ａには、適宜収納凹部等を設けて、煙草や、ライターや、携帯電話等の小物入れとしても良い。
【００２５】
更に、表示部１は、図示例のように平面的なものであっても良いし、立体的に構成したものであっても良い（図示せず）。
しかも、表示部１は、台基体Ａの正面がわだけでなく、背面や、左右側面や、上面等にも形成しておけ、例えば、その背面に「食事中」等の表示を予め設けておき、この表示を活用するようにしても良い。
【００２６】
ところで、パチンコ遊戯用手載せ台の具体的構成、形状、寸法、材質、台基体Ａの具体的構成、形状、寸法、材質、上台Ａ１の具体的構成、形状、寸法、材質、下台Ａ２の具体的構成、形状、寸法、材質、表示部１の具体的構成、形状、寸法、配設位置、数、吸盤２の具体的構成、形状、寸法、材質、数、配設状態、空気出入口３の具体的構成、形状、寸法、配設位置、抱持用突起４の具体的構成、形状、寸法、材質、数、配設状態、弾性片５の具体的構成、形状、寸法、材質、配設位置、係止爪６の具体的構成、形状、寸法、材質、配設位置、係止溝７の具体的構成、形状、寸法、数、配設位置、切欠部８の具体的構成、形状、寸法、クッション９の具体的構成、形状、寸法、材質等は図示例のもの等に限定されることなく適宜自由に設定、変更できるものである。
【図面の簡単な説明】
【００２７】
【図１】本考案のパチンコ遊戯用手載せ台を例示する斜視図である。
【図２】本考案のパチンコ遊戯用手載せ台の使用状態を例示する正面図である。
【図３】本考案の他の実施例を例示する正面図である。
【図４】本考案の他の実施例を例示する分解斜視図である。
【図５】本考案の他の実施例を例示する正面図である。
【符号の説明】
【００２８】
Ａ    台基体
Ａ１  上台
Ａ２  下台
１    表示部
２    吸盤
３    空気出入口
４    抱持用突起
５    弾性片
６    係止爪
７    係止溝
８    切欠部
９    クッション
【図１】
0003114082.tif 000003
【図２】
0003114082.tif 000004
【図３】
0003114082.tif 000005
【図４】
0003114082.tif 000006
【図５】
0003114082.tif 000007